(57)【要約】【課題】この発明は、予め薬剤を密封収容し、使用時に密封を破り、排出させるようにして使い捨て型注射器に関し、意図的でない穿刺が行われることをより確実に防止することを目的とする。【解決手段】薬剤収納室を封止する一体仕切部22がノズル16の端部に形成され、ノズル16には両頭針24を貫通装着した基部26が摺動自在に設けられる。両頭針24の内端24-1は未使用時は一体仕切部22を穿刺することがない位置に保持され、両頭針24の外端24-2は保護キャップ30により被覆される。保護キャップ30は基部26の端面と当接するようにノズル16に内側より嵌合される。未使用時における、両頭針24の内端24-1の非穿刺位置を確保するため両頭針24に対する保護キャップ30の挿入部の外周はシュリンクタック36により包被される。シュリンクタック36は押し込み側である保護キャップ30の拡径部32とノズル16の端部との間をその間の環状窪み部34を介して延設されている。【選択図】  図３
2007054479.tif 000002
【特許請求の範囲】
【請求項１】
予め薬剤が充填され、薬剤の押し出しが可能な薬剤収納部と、薬剤収納部に開口する筒状連結部と、薬剤収納部を封止するべく前記筒状連結部の内部に設けられた穿刺可能な封止部と、前記筒状部に挿入位置される基部と、前記基部に収納部側の一端は短く突出し他端は大きく突出するように設けられた両頭針と、前記基部に当接しつつ両頭針の前記他端部を包囲するように前記筒状部に内側より挿入される保護キャップとを具備し、使用前には基部は両頭針の前記一端による封止部材の穿刺を阻止する状態にあり、使用に際しては保護キャップにより前記基部を薬剤収納部側に押し込むことにより、両頭針の前記一端による封止部材の穿刺が行われる使い捨て型注射器において、使用前における筒状部に対する保護キャップの挿入部を被覆する収縮性被覆フィルムを具備し、この収縮性被覆フィルムにより穿刺のための保護キャップによる両頭針の押し込み操作が阻止されるようにされたことを特徴とする使い捨て型注射器。
【請求項２】
請求項１に記載の発明において、保護キャップは、前記不使用状態において筒状部の端面と間隔をおいて位置する拡径部を具備しており、収縮性被覆フィルムは筒状部と拡径部との間の谷部を挟んで筒状部と拡径部との間を延設されていることを特徴とする使い捨て型注射器。
【発明の詳細な説明】
【技術分野】
【０００１】
この発明は、予め薬剤を密封収容し、使用時に両頭針内端により密封を破り、両頭針外端から排出させるようにした使い捨て型注射器に関するものである。
【背景技術】
【０００２】
使い捨て型注射器として、薬剤を予充填し、先端部におけるライナーにより封止されたシリンジ本体部と、両側に針先端が突出した両頭針型の基部と、基部から一体に延び、シリンジ本体部に相対移動可能に外周側より嵌合されるスカート部と、針先端用の保護キャップとを備え、スカート部は使用前はシリンジ本体側の針先端が薬剤収納部を封止するライナーから離間させるように位置され、使用に際して時に保護キャップによりスカート部をシリンジ本体に対して相対変位されることで、シリンジ本体側の針先端により封止部を穿刺・開口させ、シリンジ本体内に収容された薬剤を両頭針に連通させるようにしたものが提案されている（特許文献１）。この種の使い捨て型注射器では、使用前に封止部が穿刺されてしまうと、薬剤が両頭針側に漏洩し、使用に適さなくなってしまうため、意図的に開封操作しないとライナーの穿刺がされないようにシリンジ本体に対するスカート部の嵌合度合いを調節する突起部（プロテクタ）を嵌合面間に設けている。そして、未使用なのにプロテクタが破られた万が一のときのため、シリンジ本体に対するスカート部の嵌合部の外周を刺貫確認用の収縮性フィルムにて包被させている。即ち、収縮性フィルムは破れ易い素材にて形成され、意図しない押圧動作などによりライナーが穿刺されるほどスカートが駆動されると、収縮性フィルムが破れたり皺が入ったりするため、これによりユーザ側にその注射器が使用に適さないことを了知させることができる。
【特許文献１】実開平６−５２８３７号公報
【発明の開示】
【発明が解決しようとする課題】
【０００３】
特許文献１に開示の従来技術においては、意図することなくライナーの穿刺がされてしまうことがないようにプロテクタ突起を設けることで両頭針側のスカート部とシリンジ本体との嵌合を適当な堅さに設定していた。しかしながら、このような対策では、意図的でない穿刺動作を完全に排除することはできず漏洩が起こり、使用不能品となってしまう恐れがあった。即ち、プロテクタ突起を高くすれば意図されない穿刺動作の防止には効果的であるが、操作性は悪化し、使いにくいものとなってしまう。この発明はこの問題点に鑑みてなされたものであり、操作性は損なうことなく意図的でない穿刺が行われてしまう可能性をより確実に排除することを目的とする。
【課題を解決するための手段】
【０００４】
この発明の使い捨て型の注射器は、薬剤が予充填され、薬剤の押し出しが可能な薬剤収納部と、薬剤収納部に開口する筒状連結部と、薬剤収納部を封止するべく前記筒状連結部の内部に設けられた穿刺可能な封止部と、前記筒状部に挿入位置される基部と、前記基部に収納部側の一端は短く突出し他端は大きく突出するように設けられた両頭針と、前記基部に当接しつつ両頭針の他端部を包囲するように前記筒状部の内部開口に挿入される保護キャップとを具備している。使い捨て型の注射器の使用前には基部は両頭針の前記一端による封止部材の穿刺を阻止する状態にあり、使用に際しては保護キャップにより前記基部を薬剤収納部側に押し込むことにより、両頭針の前記一端による封止部材の穿刺が行われる。更に、筒状部に対する保護キャップの挿入部を被覆するように所定長さにわたって前記筒状部の全周を包囲する収縮性被覆フィルムを具備し、この収縮性被覆フィルムは穿刺のための保護キャップによる両頭針の押し込み操作を阻止するためのものである。好ましくは、保護キャップは、前記不使用状態において筒状部の端面と間隔をおいて位置する拡径部を具備しており、収縮性被覆フィルムは筒状部と拡径部との間の谷部を挟んで筒状部と拡径部との間を延設されている。
【発明の効果】
【０００５】
保護キャップの挿入部を収縮性フィルムにより被覆することにより、保護キャップを収縮性フィルムによりガタなく固定することができ、保護キャップが意図されることなく押し込み操作されてしまうことがなくなるため、使用前における薬剤の漏洩を確実に防止することができる。また、収縮性被覆フィルムは筒状部と拡径部との間の谷部を介して包被させることで、収縮フィルムが押し込みに対する効果的な抵抗体となり、意図しない開封に対するより確実な拘束作用を得ることができる。
【発明を実施するための最良の形態】
【０００６】
図１はこの発明の実施形態の使い捨て型注射器の断面図であり、１０はプラスチック成形品としてのシリンジ本体（この発明における薬剤の押し出しが可能な薬剤収納部）であり、シリンジ本体１０の一端には同じくプラスチック成形品としてのフィンガグリップ１１のハブ１１Ａが嵌着され、他端には後述の針ユニット１２が装着される。シリンジ本体１０にはプラスチック成形品としてのプランジャ１３が長手方向に摺動可能に嵌合され、プランジャ１３からはシリンジ本体１０から離間する方向にプランジャロッド１４が一体に延出されている。シリンジ本体１０の内部筒状空洞は一種類若しくは多種類の薬剤を予め充填する薬剤収納室１５を構成し、フィンガグリップ１１の操作によりプランジャロッド１４を駆動することにより、薬剤収納室１５から薬剤を押し出すことができる。針ユニット１２におけるシリンジ本体１０の端部10-1は少し径が絞られている。
【０００７】
針ユニット１２の構造を説明すると、１６はノズル（この発明の筒状連結部）であり、ノズル１６は筒状のプラスチック成形品であり、長手方向における中間位置における外周にフランジ16-1を形成している。ノズル１６は一端がシリンジ本体１０の絞られた端部10-1にフランジ16-1が対向端面に突き当たる位置まで密実に挿入されている。ノズル１６の端面はノズル１６の内部空洞を密封閉鎖するべく一体に閉鎖され、この一体の端面としての仕切部２２（この発明の穿刺可能な封止部）はシリンジ本体１０の内部空洞に形成された薬剤収納室１５を針ユニット１２側に対して封止しており、未使用時における薬剤の針ユニット１２側への漏洩を防止している。ノズル１６の内部筒状空洞には両頭針２４を貫通固着保持した基部（両頭針２４を鋳込んだプラスチック成形品）２６が長手方向摺動自在に嵌合されている。両頭針２４はシリンジ本体１０側の内側尖端24-1は比較的僅か基部２６から突出し、シリンジ本体１０から離間側の外側尖端24-2は相当長く基部２６から突出している。基部２６はプラスチック成形品であり、ノズル１６の内周部に密実に嵌挿される大径部26-1と、大径部26-1から一体にシリンジ本体と離間側に突出した小径部26-2とを備える。注射器の使用前は内側尖端24-1は仕切部２２の穿刺を行うことがないように離間位置させる必要があり、そのためのロック手段として、両頭針１６の内周面にはロック用突起２８が形成されており、基部２６の大径部26-1がロック用突起２８に当接することにより、そのままでは基部２６は図示以上には左方向に変位しないように拘束された状態にある。３０は保護キャップを示しており、保護キャップ３０はシリンジ本体１０から離間した前端30-1は完全閉鎖され、シリンジ本体１０側の開放後端30-2はノズル１６に内側より嵌合され、保護キャップ３０の端面は基部２６の大径部26-1の端面に当接されるようにノズル１６の内部空洞に延びている。そのため、保護キャップ３０をロックを破って矢印ａ方向に押し込むことにより基部２６は同方向に連れ移動され、両頭針２４の内側尖端24-1により仕切部２２を穿刺することができる。保護キャップ３０は軸方向における中間位置に拡径部３２を形成しており、その結果、ノズル１６の対抗端面との間は軸方向に延びる環状窪み部３４を形成している。
【０００８】
次に、未使用状態において、意図しない穿刺操作を確実に保持するためのこの発明の構成を説明すると、ノズル１６と保護キャップ３０との間の環状窪み部３４を挟んでノズル１６及び保護キャップ３０の対向端面を幾分超える長さを持つ収縮性被覆フィルムがノズル１６に対する保護キャップ３０の挿入部に包被・収縮される。収縮性被覆フィルムとしては市販のシュリンクタックを使用することができる。シュリンクタック３６は図１の想像線に示すように巻回され、粘着固定される。周知のようにシュリンクタック３６は熱収縮性のフィルム（PETフィルム等）を素材とし片側全面に接着剤面を形成したものである。シュリンクタックの包被接着後、シュリンクタック３６の熱収縮が行われ、図３は熱収縮完了後のシュリンクタック３６を示しており、シュリンクタック３６の密着は、中間の両端窪み部３４（ノズル１６の外周面）を介して両端の突起部、即ち、ノズル１６の端部と保護キャップ３０の拡径部３２において行われており、シュリンクタック３６の収縮密着状態は図３の不使用状態での基部２６の拘束をより強固に行い、意図しない薬剤の漏洩をより確実に防止することができる。即ち、熱収縮により対抗面に密着されたシュリンクタック３６は、シリンジ本体側のノズル１６と保護キャップ側の拡径部３２との間の谷３４の部分において保護キャップ３０面上を延びているシュリンクタック３６が突っ張りとなって、保護キャップ３０はノズル１６に対してガタなく固定され、シュリンクタック３６として適当にこしの強いもの（破れ難いもの）を選定することで、ノズル１６に対する保護キャップ３０の相対変位（シュリンクタック３６を構成するプラスチックフィルムの破裂）はよほど無理な力を加えない限りは起こり得ないため、意図的でない操作による針ユニット１２の側への薬剤の漏洩の恐れをより確実に防止することができる。言うまでもないが、シュリンクタック３６によるこのような機能を得るためフィルム素材や膜厚や強度などの特性因子は最適なものを選定する必要があることは言うまでもない。
【０００９】
使用時には図３の状態でシュリンクタック３６に付属している既存の適宜形状のタブ（図示せず）を掴み、引っ張ることによりシュリンクタック３６を注射器から剥離する。そして、保護キャップ３０をシリンジ本体１０に向けて押し込んでゆく。所定の押し込み力を加えることにより基部２６の拡径部26-1（図２）はロック用突起２８を乗り越えて、図３の左方向に移動され、最終的には図４に示すように基部２６はノズル１６の端面の一体仕切部２２に当接するに至り、同時に両頭針２４の内側尖端24-1により一体仕切部２２が穿刺貫通され、両頭針２４はシリンジ本体１０の内部における薬剤収納室１５に連通せしめられる。そして、保護キャップ３０を取り外し、プランジャロッド１４を押し込んでゆくことにより、薬剤収納室１５内の薬剤を両頭針２４の外側尖端24-2より射出することができる。
【図面の簡単な説明】
【００１０】
【図１】図１はシュリンクタック装着前のこの発明の使い捨て型注射器の断面図である。
【図２】図２は図１における部分拡大図である。
【図３】図３は図１と同様であるがシュリンクタック装着後のこの発明の使い捨て型注射器の断面図である。
【図４】図４はシュリンクタックを剥離し、保護キャップを押し込むことで穿刺開通させた状態におけるこの発明の使い捨て型注射器の断面図である。
【符号の説明】
【００１１】
１０…シリンジ本体
１２…針ユニット
１３…プランジャ
１４…プランジャロッド
１５…薬剤収納室
１６…ノズル（この発明の筒状連結部）
２２…一体仕切部
２４…両頭針
２６…基部
２８…ロック用突起
３０…保護キャップ
３２…拡径部
３４…環状窪み部
３６…シュリンクタック
【図１】
2007054479.tif 000003
【図２】
2007054479.tif 000004
【図３】
2007054479.tif 000005
【図４】
2007054479.tif 000006